【手続補正書】
【提出日】平成24年10月2日(2012.10.2)
【手続補正１】
【補正対象書類名】特許請求の範囲
【補正対象項目名】全文
【補正方法】変更
【補正の内容】
【特許請求の範囲】
【請求項１】
健康リスク値を決定する合成装置であって、
前記合成装置が、健康に関する情報に基づいて第1の健康リスク値を生成するメトリック生成器を有し、当該第1の健康リスク値が、被験者の小領域である第1の局所的な関心領域の第1の健康状態を示す、合成装置。
【請求項２】
前記健康に関する情報が、画像情報及び画像ではない情報の両方を含むことを特徴とする、請求項１に記載の合成装置。
【請求項３】
前記メトリック生成器が、前記被験者の全体的な状態の指標である少なくとも1つの全体的な健康リスク値を生成することを特徴とする、請求項１に記載の合成装置。
【請求項４】
前記第1の健康状態が、前記第1の局所的な領域に関する健康リスクの程度に対応することを特徴とする、請求項１乃至３の何れか一項に記載の合成装置。
【請求項５】
前記メトリック生成器が、前記被験者の第2の局所的な関心領域の第2の健康状態を示す少なくとも第2の健康リスク値を生成することを特徴とする、請求項１乃至４の何れか一項に記載の合成装置。
【請求項６】
前記第1の健康リスク値及び前記第2の健康リスク値が、同じ局所的な関心領域に対応しており、前記健康に関する情報の異なるセットを用いて生成されることを特徴とする、請求項５に記載の合成装置。
【請求項７】
前記第1の局所的な関心領域及び前記第2の局所的な関心領域が、前記被験者の異なる関心領域であることを特徴とする、請求項５に記載の合成装置。
【請求項８】
前記合成装置が、前記第1の健康リスク値を、視覚、聴覚、又は触覚による提示手法のうちの少なくとも1つを介して提示するパラメータ提示器を更に含むことを特徴とする、請求項１乃至７の何れか一項に記載の合成装置。
【請求項９】
前記視覚による提示手法が、前記第1の健康リスク値を画像上に重畳することを含む、請求項８に記載の合成装置。
【請求項１０】
前記第1の健康リスク値が、前記第1の局所的な関心領域に対応する前記画像の1つ以上のボクセルに重畳されることを特徴とする、請求項９に記載の合成装置。
【請求項１１】
前記第1の健康リスク値が、当該第1の健康リスク値に対応するリスクの程度の指標となるパターン、グレイスケール、及び色のうちの少なくとも1つにより表示されることを特徴とする、請求項８乃至１０の何れか一項に記載の合成装置。
【請求項１２】
前記第1の健康リスク値が、シミュレーション、介入、治療、又は挙動の変化のうちの少なくとも1つに関する健康リスクの変化に対応することを特徴とする、請求項８乃至１１の何れか一項に記載の合成装置。
【請求項１３】
前記触覚による提示手法が、力、振動、テクスチャ、又は温度の変化のうちの少なくとも1つを有する触覚のフィードバックを含むことを特徴とする、請求項８に記載の合成装置。
【請求項１４】
被験者の健康状態の指標となる情報を得るステップと、
前記情報の少なくとも1つのサブセットを合成するステップと、
当該合成に基づいて前記被験者に対する少なくとも1つの健康リスク値を生成するステップと、
当該少なくとも1つの健康リスク値を提示するステップと、
を含む、方法。
【請求項１５】
前記少なくとも1つの健康リスク値を、追加の情報を得ることに応答して動的に更新するステップを更に含む、請求項１４に記載の方法。
【請求項１６】
前記少なくとも1つの健康リスク値に基づいて、前記被験者のスクリーニング、診断、治療の計画、治療、治療後の監視のうちの少なくとも1つを行うステップを更に含む、請求項１４又は１５に記載の方法。
【請求項１７】
前記少なくとも1つの健康リスク値が、前記被験者の対象となる組織の小領域に対する局所的なものであることを特徴とする、請求項１４乃至１６の何れか一項に記載の方法。
【請求項１８】
前記少なくとも1つの健康リスク値が、前記被験者に対する全体的なものであることを特徴とする、請求項１４乃至１６の何れか一項に記載の方法。
【請求項１９】
前記健康に関する情報が、画像情報及び画像ではない情報の両方を含むことを特徴とする、請求項１４乃至１８の何れか一項に記載の方法。
【請求項２０】
前記少なくとも1つの健康リスク値を、視覚、聴覚、又は触覚による提示手法のうちの少なくとも1つを介して提示するステップを更に含む、請求項１４乃至１９の何れか一項に記載の方法。
【請求項２１】
前記少なくとも1つの健康リスク値を、前記被験者の画像にマッピングするステップを更に含む、請求項１４乃至２０の何れか一項に記載の方法。
【請求項２２】
前記マッピングが、前記少なくとも1つの健康リスク値に関するリスクの相対的な程度を示すマッピング指示を含むことを特徴とする、請求項２１に記載の方法。
【請求項２３】
医薬に関する情報を用い、前記少なくとも1つの健康リスク値に基づいて前記被験者に対する当該医薬の効果を予測して、前記少なくとも1つの健康リスク値を生成するステップを更に含む、請求項１４乃至２１の何れか一項に記載の方法。
【請求項２４】
前記被験者への医薬の投与の後に、投与後に入手可能な情報と共に決定された健康リスク値に基づいて、当該被験者に投与された医薬の効果をモニタするステップを更に含む、請求項２１に記載の方法。
【請求項２５】
移植に関する情報を用いて前記少なくとも1つの健康リスクを生成するステップと、当該少なくとも1つの健康リスクに基づいて前記被験者に対する当該移植の効果を予測するステップとを更に含む、請求項１４乃至２４の何れか一項に記載の方法。
【請求項２６】
前記被験者に移植された前記移植部位の効果を、当該被験者への当該移植部位の移植の後に、当該移植後に入手可能な情報と共に決定された前記健康リスク値に基づいてモニタするステップを更に含む、請求項２５に記載の方法。
【請求項２７】
前記被験者に対する前記少なくとも1つの第2の健康リスク値を、異なる時刻に生成するステップと、
前記少なくとも1つのパラメータ、及び前記少なくとも1つの第2の健康リスク値の間の差を提示するステップと、
を更に含む、請求項１４乃至２６の何れか一項に記載の方法。
【請求項２８】
医薬の効果を予測する方法であって、
被験者の健康状態に関する情報に基づいて当該被験者における第1の健康リスク値を生成するステップと、
前記被験者の健康状態に関する情報、及び医薬についての周知の健康に関する効果に基づいて、当該被験者における第2の健康リスク値を生成するステップと、
前記第1の健康リスク値及び前記第2の健康リスク値に基づいて当該医薬の効果を予測するステップと、
を含む、方法。
【請求項２９】
前記第1の健康リスク値及び前記第2の健康リスク値を比較するステップと、
前記医薬が当該健康リスク値を増減させるだろうかどうか予測するステップと、
を更に含む、請求項２７に記載の方法。
【請求項３０】
インプラントの効果を予測する方法であって、
被験者の健康状態に関する情報に基づいて当該被験者における第1の健康リスク値を生成するステップと、
前記被験者の健康状態に関する情報、及びインプラントについての周知の健康に関する効果に基づいて、当該被験者における第2の健康リスク値を生成するステップと、
前記第1の健康リスク値及び前記第2の健康リスク値に基づいて、前記インプラントの効果を予測するステップと、
を含む、方法。
【請求項３１】
前記第1の健康リスク値及び前記第2の健康リスク値を比較するステップと、
前記移植が前記健康リスク値を増減させるだろうかどうか予測するステップと、
を更に含む、請求項３０に記載の方法。
【請求項３２】
患者に対する治療を選択するための方法であって、
異なる治療に対応する情報に基づく、被験者における複数の健康リスク値をシミュレーションするステップと、
前記複数の健康リスク値に基づいて、前記被験者における治療を選択するステップと、
を含む、方法。
【請求項３３】
被験者の局所的な領域における健康リスク値を決定するステップと、
手術のために、器具を前記被験者の局所的な領域へと自動的に導くために、前記健康リスク値を使用するステップと、
を含む、方法。